【手続補正書】
【提出日】平成16年11月5日(2004.11.5)
【手続補正１】
【補正対象書類名】明細書
【補正対象項目名】特許請求の範囲
【補正方法】変更
【補正の内容】
【特許請求の範囲】
【請求項１】
複数の曲の音楽データを記録した記録媒体から情報を取得して曲を再生する音声再生装置であって、
演算処理手段、記録手段、操作手段及び信号入力手段を含んで構成され、
前記記録手段には、指標とキーワードとを対応させた候補テーブル及び検索用テーブルが記録されており、
前記演算処理手段が、
再生中の前記曲を特定する曲特定情報を前記記録媒体から取得し、
前記信号入力手段からの信号を使用して指標を決定し、
決定された該指標に対応するキーワードを前記候補テーブルから取得し、
取得した該キーワード、前記曲特定情報及び重要度を対応させて前記検索用テーブルに記録し、
前記操作手段が操作されることによって前記再生中の曲の再生が中止された場合、前記曲特定情報に対応する前記重要度を減少させるものであることを特徴とする音声再生装置。
【請求項２】
前記記録媒体が音楽ＣＤであり、
前記曲特定情報が、少なくともメディアカタログ番号及びトラック番号を含むものであることを特徴とする請求項１記載の音声再生装置。
【請求項３】
複数の曲の音楽データを記録した記録媒体から情報を取得して曲を再生する音声再生装置であって、
演算処理手段、記録手段、操作手段及び信号入力手段を含んで構成され、
前記記録手段には、指標とキーワードとを対応させた候補テーブル及び検索用テーブルが記録されており、
前記演算処理手段が、
前記曲の再生中に、該曲に対応する曲特定情報を付して該曲の音楽データを前記記録手段に記録し、
前記信号入力手段からの信号を使用して指標を決定し、
決定された該指標に対応するキーワードを前記候補テーブルから取得し、
取得した該キーワード、前記曲特定情報及び重要度を対応させて前記検索用テーブルに記録し、
前記操作手段が操作されることによって前記再生中の曲の再生が中止された場合、前記曲特定情報に対応する前記重要度を減少させるものであることを特徴とする音声再生装置。
【請求項４】
コンピュータネットワークに接続されたサーバーから携帯型電話機を介して曲の音楽データを取得する音声再生装置であって、
演算処理手段、記録手段、操作手段及び信号入力手段を含んで構成され、
前記記録手段には、指標とキーワードとを対応させた候補テーブル及び検索用テーブルが記録されており、
前記演算処理手段が、
前記サーバーから取得した前記音楽データを、曲特定情報を付して前記記録手段に記録し、
前記信号入力手段からの信号を使用して指標を決定し、
決定された該指標に対応するキーワードを前記候補テーブルから取得し、
取得した該キーワード、前記曲特定情報及び重要度を対応させて前記検索用テーブルに記録するものであることを特徴とする音声再生装置。
【請求項５】
前記演算処理手段が、
前記記録手段に記録された音楽データを使用して曲を再生中に、前記信号入力手段からの信号を使用して前記指標を決定し、
決定された該指標に対応するキーワードを前記候補テーブルから取得し、
取得された該キーワード、前記再生中の曲の曲特定情報及び重要度を対応させて前記検索用テーブルに記録し、
前記操作手段が操作されることによって前記再生中の曲の再生が中止された場合、前記曲特定情報に対応する前記重要度を減少させるものであることを特徴とする請求項４記載の音声再生装置。
【請求項６】
前記信号入力手段が、計時手段であり、
前記指標が、月日及び時刻であることを特徴とする請求項１〜５の何れかの項に記載の音声再生装置。
【請求項７】
前記信号入力手段が、自動車の走行速度を検出する手段であり、
前記指標が、該走行速度であることを特徴とする請求項１〜５の何れかの項に記載の音声再生装置。
【請求項８】
前記信号入力手段が、温度サンサー及び湿度サンサーであり、
前記指標が、該温度センサーによって測定された温度及び該湿度サンサーによって測定された湿度の組合せ、または該温度及び該湿度から決定される数値であることを特徴とする請求項１〜５の何れかの項に記載の音声再生装置。
【請求項９】
前記信号入力手段に気圧サンサーを更に含み、
前記指標が、前記温度、前記湿度及び該気圧センサーによって測定された気圧の組合せであることを特徴とする請求項８記載の音声再生装置。
【請求項１０】
前記信号入力手段が、重量センサーであり、
前記指標が、該重量センサーによって測定された乗車人数であることを特徴とする請求項１〜５の何れかの項に記載の音声再生装置。
【請求項１１】
前記信号入力手段が、撮影手段であり、
前記演算処理装置が、該撮影手段によって撮影された運転者の顔画像を分析することによって前記運転者の覚醒状態を判断し、
前記検索用テーブルに記録されるキーワードは、前記運転者が眠気を催していると判断された場合には、眠気に対応するキーワードであることを特徴とする請求項１〜５の何れかの項に記載の音声再生装置。
【請求項１２】
前記信号入力手段が、文字入力手段または音声入力手段であり、
前記検索用テーブルに記録されるキーワードが、該文字入力手段によって入力された文字データ、または該音声入力手段によって入力された音声データから変換された文字データであることを特徴とする請求項１〜５の何れかの項に記載の音声再生装置。
【請求項１３】
表示手段を更に備え、
前記演算処理手段が、前記表示手段にキーワードの候補を表示し、前記操作手段からの選択を受け付け、
前記検索用テーブルに記録されるキーワードが、選択された前記キーワードであることを特徴とする請求項１〜５の何れかの項に記載の音声再生装置。
【請求項１４】
前記指標が、月日であり、
前記演算処理手段が、
前記記録装置に記録した曲の発売日を表す月日を前記サーバーから取得し、
取得された該月日に対応するキーワードを前記候補テーブルから取得し、
前記検索用テーブルに記録されるキーワードが、前記候補テーブルから取得されたキーワードであることを特徴とする請求項４または請求項５記載の音声再生装置。
【請求項１５】
外部記録手段を更に備え、
前記演算処理手段が、前記検索用テーブルを前記外部記録手段に記録するものであることを特徴とする請求項１〜５の何れかの項に記載の音声再生装置。
【請求項１６】
前記演算処理手段が、
前記候補テーブルの中から取得したキーワードを含んでいる曲特定情報を、前記検索用テーブルの中から取得し、
前記曲特定情報に対応する曲を再生することを特徴とする請求項１〜１５の何れかの項に記載の音声再生装置。
【請求項１７】
前記演算処理手段が、
前記検索用テーブルの中から取得した曲特定情報に対応するキーワードに、眠気に対応するキーワードを含んでいない場合にのみ、該曲特定情報に対応する曲を再生するものであることを特徴とする請求項１６記載の音声再生装置。
【請求項１８】
前記演算処理手段が、
前記検索用テーブルの中から複数の曲特定情報を取得した場合、これら複数の曲特定情報の中から、前記重要度を考慮して１つの曲特定情報を選択し、
選択された該曲特定情報に対応する曲を再生するものであることを特徴とする請求項１６または請求項１７記載の音声再生装置。
【請求項１９】
表示手段を更に備え、
前記演算処理手段が、
前記検索用テーブルの中から複数の曲特定情報を取得した場合、これら複数の曲特定情報に対応する文字情報を前記表示手段に表示し、
これら文字情報の中から選択された文字情報に対応する曲を再生するものであることを特徴とする請求項１６または請求項１７記載の音声再生装置。
【請求項２０】
前記記録手段には、前記候補テーブルに記録されている前記キーワードと優先順位とが対応させられて更に記録され、
前記演算処理手段が、
前記検索用テーブルの中から複数の曲特定情報を取得した場合、これら複数の曲特定情報に対応するキーワードの前記優先順位を考慮して１つの曲特定情報を選択し、
選択された該曲特定情報に対応する曲を再生するものであることを特徴とする請求項１６または請求項１７記載の音声再生装置。
【請求項２１】
複数の曲の音楽データを記録した記録媒体から情報を取得して曲を再生し、地図情報及び目的地情報を記録した記録媒体を使用して決定された目的地までの地図画像を案内表示する情報提供装置であって、
演算処理手段、記録手段及び操作手段を含んで構成され、
前記記録手段には、指標とキーワードとを対応させた候補テーブル及び検索用テーブルが記録されており、
前記演算処理手段が、
再生中の前記曲を特定する曲特定情報を、音楽データを記録した前記記録媒体から取得し、
決定された前記目的地に関する情報を使用して指標を決定し、
決定された該指標に対応するキーワードを前記候補テーブルから取得し、
取得した該キーワード、前記曲特定情報及び重要度を対応させて前記検索用テーブルに記録し、
前記操作手段が操作されることによって前記再生中の曲の再生が中止された場合、前記曲特定情報に対応する前記重要度を減少させるものであることを特徴とする情報提供装置。
【請求項２２】
複数の曲の音楽データを記録した記録媒体から情報を取得して曲を再生し、地図情報を記録した記録媒体を使用して地図画像を表示する情報提供装置であって、
演算処理手段、記録手段、操作手段及び位置決定手段を含んで構成され、
前記記録手段には、地図ブロック特定情報とキーワードとを対応させた候補テーブル及び検索用テーブルとが記録されており、
前記演算処理手段が、
再生中の前記曲を特定する曲特定情報を前記記録媒体から取得し、
前記位置決定手段から位置情報を取得し、
該位置情報に対応する前記地図ブロック特定情報を決定し、
決定された該地図ブロック特定情報に対応するキーワードを前記候補テーブルから取得し、
取得した該キーワード、前記曲特定情報及び重要度を対応させて前記検索用テーブルに記録し、
前記操作手段が操作されることによって前記再生中の曲の再生が中止された場合、前記曲特定情報に対応する前記重要度を減少させるものであることを特徴とする情報提供装置。
【請求項２３】
前記演算処理手段が、
前記候補テーブルの中から取得したキーワードを含んでいる曲特定情報を、前記検索用テーブルの中から取得し、
前記曲特定情報に対応する曲を再生することを特徴とする請求項２１または請求項２２記載の情報提供装置。
【請求項２４】
前記演算処理手段が、
前記検索用テーブルの中から取得した曲特定情報に対応するキーワードに、眠気に対応するキーワードを含んでいない場合にのみ、該曲特定情報に対応する曲を再生するものであることを特徴とする請求項２３記載の情報提供装置。
【請求項２５】
前記演算処理手段が、
前記検索用テーブルの中から複数の曲特定情報を取得した場合、これら複数の曲特定情報の中から、前記重要度を考慮して１つの曲特定情報を選択し、
選択された該曲特定情報に対応する曲を再生するものであることを特徴とする請求項２３または請求項２４記載の情報提供装置。
【請求項２６】
表示手段を更に備え、
前記演算処理手段が、
前記検索用テーブルの中から複数の曲特定情報を取得した場合、これら複数の曲特定情報に対応する文字情報を前記表示手段に表示し、
これら文字情報の中から選択された文字情報に対応する曲を再生するものであることを特徴とする請求項２３または請求項２４記載の情報提供装置。
【請求項２７】
前記記録手段には、前記候補テーブルに記録されている前記キーワードと優先順位とが対応させられて更に記録され、
前記演算処理手段が、
前記検索用テーブルの中から複数の曲特定情報を取得した場合、これら複数の曲特定情報に対応するキーワードの前記優先順位を考慮して１つの曲特定情報を選択し、
選択された該曲特定情報に対応する曲を再生するものであることを特徴とする請求項２３または請求項２４記載の情報提供装置。
【請求項２８】
演算処理手段、記録手段、操作手段及び信号入力手段を含んで構成され、前記記録手段には指標とキーワードとを対応させた候補テーブル及び検索用テーブルが記録されており、複数の曲の音楽データを記録した記録媒体から情報を取得して曲を再生する音声再生装置に、
前記記録媒体から再生中の曲を特定する曲特定情報を取得する機能、
前記信号入力手段からの信号を使用して指標を決定する機能、
決定された該指標に対応するキーワードを、前記候補テーブルから取得する機能、
取得した該キーワード、前記曲特定情報及び重要度を対応させて前記検索用テーブルに記録する機能、
前記操作手段が操作されることによって前記再生中の曲の再生が中止された場合、前記曲特定情報に対応する前記重要度を減少させる機能を実現させるための音声再生プログラム。
【請求項２９】
演算処理手段、記録手段、操作手段及び信号入力手段を含んで構成され、前記記録手段には指標とキーワードとを対応させた候補テーブル及び検索用テーブルが記録されており、複数の曲の音楽データを記録した記録媒体から情報を取得して曲を再生する音声再生装置に、
前記曲の再生中に、該曲に対応する曲特定情報を付して該曲の音楽データを前記記録媒体に記録する機能、
前記信号入力手段からの信号を使用して指標を決定する機能、
決定された該指標に対応するキーワードを、前記候補テーブルから取得する機能、
取得した該キーワード、前記曲特定情報及び重要度を対応させて前記検索用テーブルに記録する機能、
前記操作手段が操作されることによって前記再生中の曲の再生が中止された場合、前記曲特定情報に対応する前記重要度を減少させる機能を実現させるための音声再生プログラム。
【請求項３０】
演算処理手段、記録手段、操作手段及び信号入力手段を含んで構成され、前記記録手段には指標とキーワードとを対応させた候補テーブル及び検索用テーブルが記録されており、コンピュータネットワークに接続されたサーバーから携帯型電話機を介して曲の音楽データを取得する音声再生装置に、
前記サーバーから取得した前記音楽データを、曲特定情報を付して前記記録媒体に記録する機能、
前記信号入力手段からの信号を使用して指標を決定する機能、
決定された該指標に対応するキーワードを前記候補テーブルの中から取得する機能、
取得した該キーワード、前記曲特定情報及び重要度を対応させて前記検索用テーブルに記録する機能を実現させるための音声再生プログラム。
【請求項３１】
前記記録手段に記録された音楽データを使用して曲を再生中に、前記信号入力手段からの信号を使用して指標を決定する機能、
決定された該指標に対応するキーワードを前記候補テーブルから取得する機能、
取得された該キーワード、前記再生中の曲の前記曲特定情報及び前記重要度を対応させて前記検索用テーブルに記録する機能、
前記操作手段が操作されることによって前記再生中の曲の再生が中止された場合、前記曲特定情報に対応する前記重要度を減少させる機能を実現させるための請求項３０記載の音声再生プログラム。
【請求項３２】
前記候補テーブルの中から取得されたキーワードを含んでいる曲特定情報を、前記検索用テーブルから取得する機能、
取得した該曲特定情報に対応する曲を再生する機能を更に実現させるための請求項２８〜３１の何れかの項に記載の音声再生プログラム。
【請求項３３】
前記検索用テーブルから取得された曲特定情報に対応するキーワードに眠気を表すキーワードを含んでいない場合にのみ、該曲特定情報に対応する曲を再生する機能を更に実現させるための請求項３２記載の音声再生プログラム。
【請求項３４】
前記検索用テーブルから複数の前記曲特定情報が取得された場合、これら複数の曲特定情報の中から、前記重要度を考慮して１つの曲特定情報を選択する機能、
選択された該曲特定情報に対応する曲を再生する機能を更に実現させるための請求項３２または請求項３３記載の音声再生プログラム。
【請求項３５】
更に表示手段を備えている前記音声再生装置に、
前記検索用テーブルの中から複数の前記曲特定情報が取得された場合、これら複数の曲特定情報に対応する文字情報を前記表示手段に表示する機能、
これら文字情報の中から選択された文字情報に対応する曲を再生する機能を更に実現させるための請求項３２または請求項３３記載の音声再生プログラム。
【請求項３６】
更に前記記録手段には、前記候補テーブルに記録されている前記キーワードと優先順位とが対応させられて記録されている前記音声再生装置に、
前記検索用テーブルから複数の前記曲特定情報を取得した場合、これら複数の曲特定情報に対応するキーワードの前記優先順位を考慮して１つの曲特定情報を選択する機能、
選択された該曲特定情報に対応する曲を再生する機能を更に実現させるための請求項３２または請求項３３記載の音声再生プログラム。
【請求項３７】
演算処理手段、記録手段及び操作手段を含んで構成され、
前記記録手段には指標とキーワードとを対応させた候補テーブル及び検索用テーブルが記録されており、複数の曲の音楽データを記録した記録媒体から情報を取得して曲を再生し、地図情報及び目的地情報を記録した記録媒体を使用して決定された目的地までの地図画像を案内表示する情報提供装置に、
再生中の前記曲を特定する曲特定情報を、音楽データを記録した前記記録媒体から取得する機能、
決定された前記目的地に関する情報を使用して指標を決定する機能、
決定された該指標に対応するキーワードを前記候補テーブルから取得する機能、
取得した該キーワード、前記曲特定情報及び重要度を対応させて前記検索用テーブルに記録する機能、
前記操作手段が操作されることによって前記再生中の曲の再生が中止された場合、前記曲特定情報に対応する前記重要度を減少させる機能を実現させるための情報提供プログラム。
【請求項３８】
演算処理手段、記録手段、操作手段及び位置決定手段を含んで構成され、前記記録手段には地図ブロック特定情報とキーワードとを対応させた候補テーブル及び検索用テーブルが記録されており、複数の曲の音楽データを記録した記録媒体から情報を取得して曲を再生し、地図情報を記録した記録媒体を使用して地図画像を表示する情報提供装置に、
再生中の前記曲を特定する曲特定情報を前記記録媒体から取得する機能、
前記位置決定手段から位置情報を取得する機能、
該位置情報に対応する前記地図ブロック特定情報を決定する機能、
決定された該地図ブロック特定情報に対応するキーワードを前記候補テーブルから取得する機能、
取得した該キーワード、前記曲特定情報及び重要度を対応させて前記検索用テーブルに記録する機能、
前記操作手段が操作されることによって前記再生中の曲の再生が中止された場合、前記曲特定情報に対応する前記重要度を減少させる機能を実現させるための情報提供プログラム。
【請求項３９】
前記候補テーブルの中から取得されたキーワードを含んでいる曲特定情報を、前記検索用テーブルから取得する機能、
取得した該曲特定情報に対応する曲を再生する機能を更に実現させるための請求項３７または請求項３８記載の情報提供プログラム。
【請求項４０】
前記検索用テーブルから取得された曲特定情報に対応するキーワードに眠気を表すキーワードを含んでいない場合にのみ、該曲特定情報に対応する曲を再生する機能を更に実現させるための請求項３９記載の情報提供プログラム。
【請求項４１】
前記検索用テーブルから複数の前記曲特定情報が取得された場合、これら複数の曲特定情報の中から、前記重要度を考慮して１つの曲特定情報を選択する機能、
選択された該曲特定情報に対応する曲を再生する機能を更に実現させるための請求項３９または請求項４０記載の情報提供プログラム。
【請求項４２】
更に表示手段を備えている前記情報提供装置に、
前記検索用テーブルの中から複数の前記曲特定情報が取得された場合、これら複数の曲特定情報に対応する文字情報を前記表示手段に表示する機能、
これら文字情報の中から選択された文字情報に対応する曲を再生する機能を更に実現させるための請求項３９または請求項４０記載の情報提供プログラム。
【請求項４３】
更に前記記録手段には、前記候補テーブルに記録されている前記キーワードと優先順位とが対応させられて記録されている前記情報提供装置に、
前記検索用テーブルから複数の前記曲特定情報を取得した場合、これら複数の曲特定情報に対応するキーワードの前記優先順位を考慮して１つの曲特定情報を選択する機能、
選択された該曲特定情報に対応する曲を再生する機能を更に実現させるための請求項３９または請求項４０記載の情報提供プログラム。
【請求項４４】
記録媒体に記録された複数の曲を選択して再生する音声再生装置であって、
演算処理手段、及び記録手段を含んで構成され、
前記演算処理手段が、
選曲のための各曲に対する複数の選択条件と、これら各選択条件に対応させた重要度とを対応させて前記記録手段に記録させていくとともに、
前記複数の選択条件の中から選ばれた選択条件に対応する重要度を考慮して選曲するものであることを特徴とする音声再生装置。
【請求項４５】
前記複数の選択条件には、日時に関する情報が含まれていることを特徴とする請求項４４記載の音声再生装置。
【請求項４６】
前記複数の選択条件の中から選ばれた選択条件が、ユーザにより入力されたキーワードであることを特徴とする請求項４４記載の音声再生装置。
【請求項４７】
前記重要度が、曲の再生状況に応じて付与される情報であることを特徴とする請求項４４記載の音声再生装置。
【請求項４８】
記録媒体に記録された複数の曲を選択して再生する音声再生装置であって、
演算処理手段、及び記録手段を含んで構成され、
前記演算処理手段が、
キーワードを外部から取得し、各曲に対し複数項目のキーワードを対応させて前記記録手段に記録させていくとともに、
ユーザからの入力により前記複数項目のキーワードの組み合わせに該当する曲を選択するものであることを特徴とする音声再生装置。
【請求項４９】
前記演算処理手段が、
前記キーワードをサーバーからダウンロードし、
音声入力手段を介して音声入力されたキーワードを用いて前記ダウンロードされたキーワードを検索し、前記音声入力されたキーワードに対応する曲を選択するものであることを特徴とする請求項４８記載の音声再生装置。
【手続補正２】
【補正対象書類名】明細書
【補正対象項目名】００６１
【補正方法】変更
【補正の内容】
【００６１】
上記した情報提供プログラム（１）〜（７）によれば、各々対応する上記情報
提供装置（１）〜（７）と同様の効果を奏することができる。
また、本発明に係る音声再生装置（２１）は、記録媒体に記録された複数の曲
を選択して再生する音声再生装置であって、演算処理手段、及び記録手段を含ん
で構成され、前記演算処理手段が、選曲のための各曲に対する複数の選択条件と
、これら各選択条件に対応させた重要度とを対応させて前記記録手段に記録させ
ていくとともに、前記複数の選択条件の中から選ばれた選択条件に対応する重要
度を考慮して選曲するものであることを特徴としている。
上記した音声再生装置（２１）によれば、選曲のための各曲に対する複数の選
択条件と、これら各選択条件に対応させた重要度との対応関係を前記記録手段に
記録させていくことができ、前記複数の選択条件の中から選ばれた選択条件に対
応する重要度を考慮して選曲されるので、前記選ばれた選択条件に対応する重要
度に応じたユーザの好みの曲を自動的に選択することができる。
また、本発明に係る音声再生装置（２２）は、上記音声再生装置（２１）にお
いて、前記複数の選択条件には、日時に関する情報が含まれていることを特徴と
している。
上記した音声再生装置（２２）によれば、前記複数の選択条件には、日時に関
する情報が含まれているので、前記日時に関する情報に対応する重要度に応じた
ユーザの好みの曲を自動的に決定することができる。
また、本発明に係る音声再生装置（２３）は、上記音声再生装置（２１）にお
いて、前記複数の選択条件の中から選ばれた選択条件が、ユーザにより入力され
たキーワードであることを特徴としている。
上記した音声再生装置（２３）によれば、ユーザにより入力されたキーワード
に対応する重要度に応じたユーザの好みの曲を自動的に決定することができる。
また、本発明に係る音声再生装置（２４）は、上記音声再生装置（２１）にお
いて、前記重要度が、曲の再生状況に応じて付与される情報であることを特徴と
している。
上記した音声再生装置（２４）によれば、前記曲の再生状況に応じたユーザの
好みの曲を決定することができる。
また、本発明に係る音声再生装置（２５）は、記録媒体に記録された複数の曲
を選択して再生する音声再生装置であって、演算処理手段、及び記録手段を含ん
で構成され、前記演算処理手段が、キーワードを外部から取得し、各曲に対し複
数項目のキーワードを対応させて前記記録手段に記録させていくとともに、ユー
ザからの入力により前記複数項目のキーワードの組み合わせに該当する曲を選択
するものであることを特徴としている。
上記した音声再生装置（２５）によれば、前記外部から取得したキーワードを
使用して、各曲に対し前記複数項目のキーワードを対応させて前記記録手段に記
録させていくことができ、ユーザからの入力に応じて前記複数項目のキーワード
の組み合わせに該当する曲を自動的に選択することができる。
また、本発明に係る音声再生装置（２６）は、上記音声再生装置（２５）にお
いて、前記演算処理手段が、前記キーワードをサーバーからダウンロードし、音
声入力手段を介して音声入力されたキーワードを用いて前記ダウンロードされた
キーワードを検索し、前記音声入力されたキーワードに対応する曲を選択するも
のであることを特徴としている。
上記した音声再生装置（２６）によれば、前記サーバーからダウンロードした
キーワードを使用して、各曲に対し前記複数項目のキーワードを対応させて前記
記録手段に記録させていくことができ、前記音声入力されたキーワードを用いて
前記ダウンロードされたキーワードを検索し、前記音声入力されたキーワードに
対応する曲を自動的に選択することができる。